(57)【要約】      （修正有）【課題】ラフで柔らかい印象を与え、凹凸感のあるポンパドールを形成することのできるヘアアレンジ具を提供する。【解決手段】ヘアアレンジ具１は、頭表面に実質的に当接可能な第１の面１１と第１の面１１の反対側に位置する第２の面１２とを有する基部１０と、第２の面１２を被覆するカバー体２１とを備える。カバー体２１は、複数の袋部２０Ａ〜２０Ｆを有している。複数の袋部２０Ａ〜２０Ｆは、Ｘ方向に互いに平行に延びており、また、それぞれがＹ方向に傾斜するように形成されている。【選択図】図１
0003195715.tif 000002
【実用新案登録請求の範囲】
【請求項１】
頭表面に実質的に当接可能な第１の面と該第１の面の反対側に位置する第２の面とを有する基部と、
前記第２の面を被覆するカバー体であって、複数の袋部を有するカバー体と、
を備え、
前記複数の袋部は、第１の方向に互いに平行に延び、それぞれが前記第１の方向に直交する第２の方向に傾斜するように形成されていることを特徴とするヘアアレンジ具。
【請求項２】
前記複数の袋部は、前記カバー体を繰り返し折り重ねることにより形成されることを特徴とする請求項１に記載のヘアアレンジ具。
【請求項３】
前記カバー体の外面が面ファスナで形成されていることを特徴とする請求項１又は２に記載のヘアアレンジ具。
【請求項４】
頭表面に実質的に当接可能な第１の面と該第１の面の反対側に位置する第２の面とを有する基部と、
前記第２の面に接合される複数の袋部と、
を備え、
前記複数の袋部は、第１の方向に互いに平行に延び、それぞれが前記第１の方向に直交する第２の方向に傾斜するように形成されていることを特徴とするヘアアレンジ具。
【請求項５】
前記第２の面が面ファスナで形成されていることを特徴とする請求項４に記載のヘアアレンジ具。
【請求項６】
前記複数の袋部の外面がそれぞれ面ファスナで形成されていることを特徴とする請求項１から５のいずれか一項に記載のヘアアレンジ具。
【請求項７】
前記第１の面が面ファスナで形成されていることを特徴とする請求項１から６のいずれか一項に記載のヘアアレンジ具。
【請求項８】
前記第２の面を平面視した場合に、互いに隣接する前記袋部が実質的に重複していることを特徴とする請求項１から７のいずれか一項に記載のヘアアレンジ具。
【請求項９】
前記基部の前記第１の方向における長さが、前記基部の前記第２の方向における端部から中央部に向かって次第に長くなっていることを特徴とする請求項１から８のいずれか一項に記載のヘアアレンジ具。
【請求項１０】
前記第１の方向及び前記第２の方向の双方に直交する第３の方向に沿った前記基部の高さが、前記基部の前記第２の方向における端部から中央部に向かって次第に高くなっていることを特徴とする請求項１から９のいずれか一項に記載のヘアアレンジ具。
【考案の詳細な説明】
【技術分野】
【０００１】
本考案は、ヘアアレンジ具に係り、特に、いわゆるポンパドールを作るためのヘアアレンジ具に関するものである。
【背景技術】
【０００２】
女性のポピュラーなヘアスタイルとして、前髪を根元付近から頭頂部側に折り返すことによって額全体を露出させると共に、前髪部分にボリュームを持たせるいわゆるポンパドールが挙げられる。このポンパドールを形成するための器具として、頭表面に配置可能な略ドーム型の頭髪アレンジパットが考案されている（例えば、特許文献１，２参照）。このような頭髪アレンジパットを前髪付近に配置し、前髪を該アレンジパットに被せるように折り返すと、厚みのある略ドーム形状のパットが土台となり、額付近に嵩高いポンパドールを形成することができる。
【０００３】
ところで、ポンパドールは、前髪を上げて額を露出させることができるため、顔の印象をすっきりと見せたい等の場合にも適している。しかしながら、上記のような頭髪アレンジパットでは嵩高いポンパドールが形成されるため、使用者の全体的な印象がかっちりとしたものになりすぎてしまう。そのため、上記のような顔をすっきりと見せたい等の場合には適さない。このようなことから、ボリュームを抑えたポンパドールを形成することのできるヘアアレンジ具が求められている。
【０００４】
一方で、単にポンパドールのボリュームを抑えたのみでは、前髪部分が扁平になってしまい、ヘアスタイルとしての魅力に欠けてしまう。そのため、ポンパドールにラフで柔らかい印象を与える場合には、ポンパドールに凹凸感を出すことが求められる。しかしながら、上記の頭髪アレンジパットの表面には凹凸構造が形成されていないため、凹凸感のあるポンパドールを形成することができない。
【先行技術文献】
【特許文献】
【０００５】
【特許文献１】意匠登録第１３７８９６０号公報
【特許文献２】意匠登録第１４０３９５１号公報
【考案の概要】
【考案が解決しようとする課題】
【０００６】
本考案は、このような従来技術の問題点に鑑みてなされたもので、ラフで柔らかい印象を与え、凹凸感のあるポンパドールを形成することのできるヘアアレンジ具を提供することを目的とする。
【課題を解決するための手段】
【０００７】
本考案の第１の態様によれば、ラフで柔らかい印象を与え、凹凸感のあるポンパドールを形成することのできるヘアアレンジ具が提供される。このヘアアレンジ具は、頭表面に実質的に当接可能な第１の面と該第１の面の反対側に位置する第２の面とを有する基部と、上記第２の面を被覆するカバー体とを備える。上記カバー体は、複数の袋部を有している。上記複数の袋部は、第１の方向に互いに平行に延びており、また、それぞれが上記第１の方向に直交する第２の方向に傾斜するように形成されている。
【０００８】
このように、本考案によれば、上記複数の袋部が上記第１の方向に互いに平行に延びて同一方向に傾斜していることにより、頭髪は上記複数の袋部のそれぞれの傾斜面に沿って係止される。そのため、凹凸感のあるポンパドールを形成することができる。また、複数の袋部はいずれも傾斜しているため、ヘアアレンジ具の上記第１の面から上記袋部の頂部までの高さは概して低い。そのため、ポンパドールのボリュームが抑えられるため、ラフで柔らかい印象を与えるポンパドールを形成することができる。
【０００９】
この場合において、上記複数の袋部を、上記カバー体を繰り返し折り重ねることによって形成することが好ましい。また、上記第２の面を平面視した場合に、互いに隣接する上記袋部が実質的に重複していることが好ましい。このような構成によって、互いに隣接する袋部の間に重複部が形成され、上記第２の面の上方に複数の袋部が互いに折り重なった重層構造が形成される。このような構造により、立体感のあるポンパドールを形成することができる。
【００１０】
また、上記カバー体の外面を面ファスナで形成することが好ましい。また、上記複数の袋部の外面をそれぞれ面ファスナで形成することが好ましい。このような構成により、頭髪が面ファスナの微小な突起に絡まり、頭髪がヘアアレンジ具に係止されるため、型崩れのしないポンパドールを形成することができる。さらに、上記第１の面を面ファスナで形成することが好ましい。このような構成により、上記第１の面を頭表面に当接させた場合、頭髪が面ファスナの微小な突起に絡まり、頭髪がヘアアレンジ具に係止されるため、ヘアアレンジ具が頭表面から落下することがない。
【００１１】
さらに、上記基部の上記第１の方向における長さを、上記基部の上記第２の方向における端部から中央部に向かって次第に長くなるように形成することが好ましい。このような構成により、基部の外縁にそって頭髪を束ねることができるため、毛先から型崩れすることを防止しつつ、毛流れの良いポンパドールを形成することができる。また、上記第１の方向及び上記第２の方向の双方に直交する第３の方向に沿った上記基部の高さを、上記基部の上記第２の方向における端部から中央部に向かって次第に高くなるように形成することが好ましい。このような構成により、ヘアアレンジ具を使用者の頭表面に実質的に密着させて設置することができる。
【００１２】
本考案の第２の態様によれば、ラフで柔らかい印象を与え、凹凸感のあるポンパドールを形成することのできるヘアアレンジ具が提供される。このヘアアレンジ具は、頭表面に実質的に当接可能な第１の面と該第１の面の反対側に位置する第２の面とを有する基部と、上記第２の面に接合される複数の袋部を有している。上記複数の袋部は、第１の方向に互いに平行に延びており、また、それぞれが上記第１の方向に直交する第２の方向に傾斜するように形成されている。
【００１３】
このように、本考案によれば、上記複数の袋部が上記第１の方向に互いに平行に延びて同一方向に傾斜していることにより、頭髪は上記複数の袋部のそれぞれの傾斜面に沿って係止される。そのため、凹凸感のあるポンパドールを形成することができる。また、複数の袋部はいずれも傾斜しているため、ヘアアレンジ具の上記第１の面から上記袋部の頂部までの高さは概して低い。そのため、ポンパドールのボリュームが抑えられるため、ラフで柔らかい印象を与えるポンパドールを形成することができる。
【００１４】
この場合において、上記第２の面を平面視した場合に、互いに隣接する上記袋部が実質的に重複していることが好ましい。このような構成によって、互いに隣接する袋部の間に重複部が形成され、上記第２の面の上方に複数の袋部が互いに折り重なった重層構造が形成される。このような構造により、立体感のあるポンパドールを形成することができる。
【００１５】
また、上記第２の面を面ファスナで形成することが好ましい。また、上記複数の袋部の外面をそれぞれ面ファスナで形成することが好ましい。このような構成により、頭髪が面ファスナの微小な突起に絡まり、頭髪がヘアアレンジ具に係止されるため、型崩れのしないポンパドールを形成することができる。さらに、上記第１の面を面ファスナで形成することが好ましい。このような構成により、上記第１の面を頭表面に当接させた場合、頭髪が面ファスナの微小な突起に絡まり、頭髪がヘアアレンジ具に係止されるため、ヘアアレンジ具が頭表面から落下することがない。
【００１６】
また、上記基部の上記第１の方向における長さを、上記基部の上記第２の方向における端部から中央部に向かって次第に長くなるように形成することが好ましい。このような構成により、基部の外縁にそって頭髪を束ねることができるため、毛先から型崩れすることを防止しつつ、毛流れの良いポンパドールを形成することができる。さらに、上記第１の方向及び上記第２の方向の双方に直交する第３の方向に沿った上記基部の高さを、上記基部の上記第２の方向における端部から中央部に向かって次第に高くなるように形成することが好ましい。このような構成により、ヘアアレンジ具を使用者の頭表面に実質的に密着させて設置することができる。
【考案の効果】
【００１７】
本考案によれば、第１の方向に互いに平行に延び、それぞれが上記第１の方向に直交する第２の方向に傾斜するように形成された複数の袋部を有するため、ラフで柔らかい印象を与え、凹凸感のあるポンパドールを形成することのできるヘアアレンジ具が提供される。
【図面の簡単な説明】
【００１８】
【図１】本考案の一実施形態におけるヘアアレンジ具を示す正面図である。
【図２】図１のヘアアレンジ具の平面図である。
【図３】図１のヘアアレンジ具の左側面図である。
【図４】図１のヘアアレンジ具の底面図である。
【図５Ａ】図１のヘアアレンジ具の使用状態を示す模式図である。
【図５Ｂ】図１のヘアアレンジ具の使用状態を示す模式図である。
【図６】図１のヘアアレンジ具の使用状態を示す模式図である。
【考案を実施するための形態】
【００１９】
以下、本考案に係るヘアアレンジ具の実施形態について図１から図６を参照して詳細に説明する。なお、図１から図６において、同一又は相当する構成要素には、同一の符号を付して重複した説明を省略する。また、図面においては、理解しやすいようにサイズが誇張されている場合がある。
【００２０】
図１は本考案の一実施形態におけるヘアアレンジ具１を示す正面図、図２は図１に示すヘアアレンジ具１の平面図、図３は左側面図、図４は底面図である。図１から図４に示すように、本実施形態におけるヘアアレンジ具１は、裏面（第１の面）１１と裏面１１の反対側に位置する表面（第２の面）１２とを有する基部１０と、基部１０を被覆するカバー体２１とを備える。
【００２１】
図２及び図４に示すように、基部１０は略半円形の形状をしている。また、基部１０のＸ方向（第１の方向）における長さは、端部１３からＹ方向（第２の方向）における中央部１５に向かって次第に長くなるように構成されている。図１から図３に示すように、基部１０の裏面１１、基部１０の表面１２及びカバー体２１は、糸などによって互いに縫合されている。すなわち、ヘアアレンジ具１は、カバー体２１が基部１０の表面１２を被覆するように、カバー体２１が基部１０に接合した構成となっている。なお、基部１０の裏面１１を縫合することなく、基部１０の表面１２とカバー体２１とを縫合することによって、カバー体２１と基部１０とを互いに接合してもよい。
【００２２】
図１に示すように、基部１０の裏面１１及びカバー体２１の外面は、それぞれ、微小な突起４０が設けられた面ファスナによって形成されている。また、カバー体２１は、Ｚ方向（第３の方向）を上方とした場合に、斜め上方に向かって延びる６つの袋部２０Ａ〜２０Ｆを有している。これら袋部２０Ａ〜２０Ｆは、図１に示すように、カバー体２１を繰り返し折り重ねることによって形成されている。なお、図１以外の図面において、面ファスナに設けられた微小な突起４０は省略して示されている。
【００２３】
図２及び図３に示すように、６つの袋部２０Ａ〜２０Ｆは、それぞれ、基部１０の２つの端部１３，１３を結ぶ線を基準としてＸ方向に向かって延びている。また、図１から図４に示すように、６つの袋部２０Ａ〜２０Ｆは、基部１０の外周に沿って形成された縫合部１４Ａ、及び、袋部２０Ａ〜２０Ｆのそれぞれの根元部分に形成された縫合部１４Ｂにおいて基部１０に縫合されている。すなわち、基部１０及びカバー体２１は、縫合部１４Ａ，１４Ｂにおいて縫合されて一体となっている。したがって、ヘアアレンジ具１を使用する際に、カバー体２１が基部１０から外れてしまうことがない。なお、カバー体２１に設ける袋部の数は適宜変更することができる。例えば、カバー体２１に７つ以上の袋部を設けてもよいし、あるいは、６つより少ない袋部を設けてもよい。
【００２４】
図１に示すように、６つの袋部２０Ａ〜２０Ｆは、いずれもＹ方向に傾斜しており、その傾斜方向はいずれも同一方向（例えば、図１における左方向）である。また、上記のように、袋部２０Ａ〜２０ＦはいずれもＸ方向に延びている（図２，図３参照）。このような構成により、頭髪が延びる方向とヘアアレンジ具１のＸ方向とが一致するようにヘアアレンジ具１を頭表面に配置して、頭髪をヘアアレンジ具１に被せた場合、傾いた袋部２０Ａ〜２０Ｆに頭髪が被さることにより凹凸感のあるヘアスタイルが形成される。
【００２５】
また、図１に示すように、袋部２０Ａ〜２０ＦはＹ方向に傾斜しているため、基部１０の裏面１１から袋部の頂部（例えば、袋部２０Ｄの頂部２２）までのＺ方向の高さは概して低くなっている。すなわち、ヘアアレンジ具１によると、頭表面からヘアアレンジ具１を被覆する頭髪までの高さが低くなるため、頭髪のボリュームが抑えられる。そのため、頭表面にラフで柔らかい印象の頭髪の盛り上がりを形成することができる。
【００２６】
さらに、図１及び図２に示すように、基部１０の表面１２（すなわち、カバー体２１）をＺ方向から見ると、互いに隣接する袋部（例えば、袋部２０Ｂ，２０Ｃ）の一部がそれぞれ実質的に重複する構成となっている（図２参照）。すなわち、互いに隣接する袋部（例えば、袋部２０Ｂ，２０Ｃ）の一部には、図２及び図３に示すように、それぞれ他の袋部と実質的に重複する重複部３０が形成されている。このように、袋部２０Ａ〜２０Ｆが互いに折り重なることによって、基部１０の表面１２の上方に袋部２０Ａ〜２０Ｆの重層構造が形成されているため（図１参照）、ヘアアレンジ具１に頭髪を被せることによって、立体感のあるヘアスタイルを形成することができる。
【００２７】
一方、図１及び図４に示すように、基部１０の裏面１１にはこのような袋部は形成されておらず、実質的に扁平な構成となっている。ここで、裏面１１には、端部１３，１３を結ぶ中央部１５付近からＸ方向の中心部１６に向けて切り込みが形成されており、この切り込み部分を折り重ねた後、この折り重ね部分を図４に示すように中央部１５から中心部１６に向けて縫合している。これにより、裏面１１は、Ｚ方向の高さが端部１３から中央部１５に向けて次第に高くなるように湾曲した形状となる（図１参照）。ここで、上述したように、カバー体２１及び基部１０の表面１２は、それぞれ基部１０の裏面１１に縫合され一体となっているため、ヘアアレンジ具１は、全体として、Ｚ方向の高さが端部１３から中央部１５に向けて次第に高くなるように湾曲した形状となっている（図１参照）。このように、ヘアアレンジ具１はＺ方向に湾曲しているため、頭の湾曲形状に対して密着することができる。
【００２８】
また、図１に示すように、裏面１１は面ファスナで形成されているため、裏面１１を頭表面に当接させた場合、面ファスナの微小な突起４０が頭髪に絡まる。したがって、ヘアアレンジ具１は頭表面にしっかりと係止されるため、ヘアアレンジ具１を使用している際に、ヘアアレンジ具１が頭部から落下することがない。なお、ヘアアレンジ具１を頭表面に係止できるのであれば、裏面１１を必ずしも面ファスナで形成する必要はない。
【００２９】
図５Ａから図６は、ヘアアレンジ具１の使用状態を示す模式図である。例えば、ヘアアレンジ具１は以下のように使用することができる。すなわち、図５Ａ及び図５Ｂに示すように、まず、ヘアアレンジ具１を基部１０の裏面１１を使用者の頭表面に密着させるようにして使用者の額上方に配置する。その後、図５Ａから図６に示す矢印Ｙの方向に前髪Ｍを持ち上げる。さらにその後、前髪Ｍをヘアアレンジ具１に被せるように頭頂部方向に折り返した上、折り返した前髪Ｍをヘアピン５０などで束ねて保持する（図６参照）。このように使用することにより、袋部２０Ａ〜２０Ｆが折り返した前髪Ｍの土台となるため、使用者の額上方の頭髪のボリュームが抑えられ、ラフで柔らかい印象を与える凹凸感のあるポンパドールが形成される（図６参照）。
【００３０】
また、ヘアアレンジ具１の互いに隣接する袋部（例えば、袋部２０Ｂ，２０Ｃ）の間には重複部３０が形成されているため、ヘアアレンジ具１に前髪Ｍを被せることによって、使用者の額付近に立体感のあるポンパドールを形成することができる（図６参照）。さらに、上記したように、カバー体２１の外面は面ファスナで形成されているため（図１参照）、面ファスナの微小な突起４０に折り返した前髪Ｍが引っ掛かる。すなわち、本実施形態によれば、面ファスナの微小な突起４０によって頭髪をしっかりと係止することができる。そのため、型崩れのしないポンパドールを形成することができる。なお、頭髪を係止することができるのであれば、必ずしもカバー体２１の外面を面ファスナで形成する必要はない。
【００３１】
ところで、上記したように、基部１０は略半円形状をしているため、図５Ｂに示すように、基部１０の湾曲した外周を使用者の頭頂部に向けるようにしてヘアアレンジ具１を使用者の額上方に配置した場合、折り返した前髪Ｍを湾曲した外周に沿って束ねることができる（図６参照）。このように使用することによって、毛先から型崩れすることを防止しつつ、毛流れの良いポンパドールを形成することができる。なお、基部１０の形状は必ずしも略半円形状である必要はない。ただし、折り返した頭髪をしっかりと束ねる観点から、基部１０は、Ｘ方向における長さがＹ方向における端部１３からＹ方向における中央部に向かって次第に長くなるように形成されることが好ましい。例えば、基部１０を、Ｘ方向における長さがＹ方向における端部１３からＹ方向における中央部に向かって次第に長くなる三角形の形状で構成することも可能である。
【００３２】
これまで本考案の一実施形態について説明したが、本考案は上述の実施形態に限定されず、その技術的思想の範囲内において種々異なる形態にて実施されてよいものであることは言うまでもない。
【００３３】
例えば、上述した複数の袋部２０Ａ〜２０Ｆのそれぞれを基部１０の表面１２に直接接合させてもよい。この場合においても、一実施形態と同様に、複数の袋部材はＸ方向に互いに平行に延び、それぞれがＹ方向に傾斜するように形成されていることが好ましい。また、基部の表面をＺ方向から見た場合に、互いに隣接する袋部材が実質的に重複していることが好ましい。さらに、複数の袋部２０Ａ〜２０Ｆの外面及び基部の表面１２をそれぞれ面ファスナなどで形成することが好ましい。
【００３４】
なお、本明細書において使用した用語「上」、「下」、「表」、「裏」、「外」その他の位置関係を示す用語は、図示した実施形態との関連において使用されているのであり、器具の相対的な位置関係によって変化するものである。
【符号の説明】
【００３５】
１    ヘアアレンジ具
１０    基部
１１    裏面
１２    表面
１３    端部
１４Ａ，１４Ｂ    縫合部
１５    中央部
１６    中心部
２０Ａ〜２０Ｆ    袋部
２１    カバー体
２２    頂部
３０    重複部
４０    突起
５０    ヘアピン
Ｍ    前髪
【図１】
0003195715.tif 000003
【図２】
0003195715.tif 000004
【図３】
0003195715.tif 000005
【図４】
0003195715.tif 000006
【図５Ａ】
0003195715.tif 000007
【図５Ｂ】
0003195715.tif 000008
【図６】
0003195715.tif 000009